(57)【要約】  【課題】  本発明では、安全、且つ衛生的な状態で、年間を通じて快適な温度を維持した状態で使用することができるとともに、利用者にとっても手軽に扱うことができるペット用ベッドの提供を目的とする。  【解決手段】  ペットＡが載上可能な大きさに形成した床面板状部材１５と、該床面板状部材１５に載上した上記ペットＡの周部を囲繞する柵体１６とを備えて構成し、上記床面板状部材１５を、起立状態の上記柵体１６へ上記ペットＡが載上可能に結合するとともに、上記床面板状部材１５と上記柵体１６とを互いに離間可能に結合して構成したペット用ベッド１０、２０。  【選択図】    図１
2005168388.tif 000002
【特許請求の範囲】
【請求項１】
ペットが載上可能な大きさに形成した床面板状部材と、
該床面板状部材に載上した上記ペットの周部を囲繞する柵体とを備えて構成し、
上記床面板状部材を、起立状態の上記柵体へ上記ペットが載上可能に結合するとともに、上記床面板状部材と上記柵体とを互いに離間可能に結合して構成した
ペット用ベッド。
【請求項２】
前記柵体を、前記ペットの背面側に有する背面側柵体と、上記ペットの右側面に有する右面側柵体と、上記ペットの左側面に有する左面側柵体とで形成し、
上記柵体を、上記背面側柵体における左右両側に上記左側柵体、及び上記右側柵体をそれぞれ折畳み可能に連設し、
上記柵体を、上記右面側柵体と上記左面側柵体とをそれぞれ上記背面側柵体に対して対向状態に折り畳んだとき、上記背面側柵体が、敷設状態の前記床面板状部材に載上可能に形成するとともに、該右面側柵体、及び該左面側柵体における、該背面側柵体と対向する側と反対側の面上に上記ペットが載上可能に形成した
請求項１に記載のペット用ベッド。
【請求項３】
前記床面板状部材を、該床面板状部材おける前記載上したペットの接触部位に、熱伝導部材を着脱可能に敷設して構成した
請求項１、又は２に記載のペット用ベッド。
【請求項４】
前記熱伝導部材をアルミ製の部材とする
請求項３に記載のペット用ベッド。
【請求項５】
前記床面板状部材を、該床面板状部材おけるペットが載上する部位に、貫通孔を備えて形成した
請求項１から４のいずれか１つに記載のペット用ベッド。
【発明の詳細な説明】
【技術分野】
【０００１】
この発明は、犬や猫などのペットを快適な状態で載上させるペット用ベッドに関する。
【背景技術】
【０００２】
最近のペットブームにより、室内で犬や猫などのペットが飼われることも珍しくなくなりつつある。これに伴って、ペットをより快適な状態で飼うことができる器具が提案されている。
【０００３】
例えば、動物用冷房装置と呼ばれる先行技術１（特許文献１参照）が提案されている。  
上記動物用冷房装置は、上部にペットが載上するベッドを備え、下部には、電気を用いて上記ベッドを支えるケース本体と、該ケース内に上記ベッドの冷暖房を可能とする冷暖房装置とを備えて構成している。
【０００４】
上記動物用冷暖房装置は、大気温度を検知する大気検知センサをもとに、大気温度が所定の温度に達したことを検知し、該検知信号をもとに電子冷却部材を加熱モード、あるいは、冷却モードに切り替えることで、動物用の冷暖房装置として機能させることができる。
【０００５】
しかし、上記先行技術１の動物用冷暖房装置は、上記ケース本体に有する吸排気用の空気穴からケース本体内にペットの毛や埃が入り込んだ場合は、モータなどに蓄えられる内部熱により、該毛や埃に引火して火事の原因になる。しかも、上記吸排気用の空気穴から水が入り込んだ場合は、漏電等のおそれがあり、ペットにとって危険であるとともに、故障の原因となることもある。
【０００６】
さらに、上記動物用冷暖房装置は、電源用の配線を用いて電源を供給している。上記電源用配線はシールド等で被覆して形成しても、ペットが犬の場合は噛みついたりするため、危険である。
【０００７】
また、ファン等の制御手段を用いるため、振動や音が生じ、ペットにストレスを感じさせるおそれも有する。
【０００８】
その他、上記動物用冷暖房装置は、収納することを考慮されて形成されていないため、不使用時に場所をとるとともに、ファン等の制御手段を有するため全体として重量が重くなり、持ち運びにも不便である。
【０００９】
【特許文献１】特開平１０−２０１３８８号公報
【発明の開示】
【発明が解決しようとする課題】
【００１０】
そこで本発明では、安全、且つ衛生的な状態で、年間を通じて快適な温度を維持した状態で使用することができるとともに、飼主にとっても手軽に扱うことができるペット用ベッドの提供を目的とする。
【課題を解決するための手段】
【００１１】
本発明のペット用ベッドは、ペットが載上可能な大きさに形成した床面板状部材と、該床面板状部材に載上した上記ペットの周部を囲繞する柵体とを備えて構成し、上記床面板状部材を、起立状態の上記柵体へ上記ペットが載上可能に結合するとともに、上記床面板状部材と上記柵体とを互いに離間可能に結合して構成することを特徴とする。
【００１２】
上記床面板状部材、及び柵体は、それぞれ合成樹脂、木材、スポンジ等の弾性体、あるいはアルミプレート等の金属部材など任意の部材で形成することができる。勿論、上記床面板状部材、及び柵体は、上記複数の部材を組み合わせて形成してもよい。特に上記床面板状部材を木材等の非熱伝導部材で形成した場合は、該床面板状部材おけるペットが載上した部位に、熱伝導部材を着脱可能に敷設して構成することが好ましい。
【００１３】
上述するように、上記床面板状部材に上記熱伝導部材を敷設することで、夏の暑い時期であっても、載上しているペットの体熱を積極的に吸熱して、ペットの体温を下げることができる。
【００１４】
さらに、上記床面板状部材には、前記床面板状部材を、該床面板状部材おけるペットが載上した部位に、貫通孔を備えて形成することができる。
【００１５】
ここで、上記貫通孔とは、例えば、上記床面板状部材をスノコ状に形成してスリット孔（間隙）を形成することを示す。その他、上記貫通孔は、上記床面板状部材に複数の孔を形成する、あるいは該床面板状部材を格子状に形成する等、上述と同様の機能を得られるよう形成することを含む。
【００１６】
これにより、通気性を確保することができるとともに、予め床面板状部材の下側に新聞紙等と設置しておけば、床面板状部材上の水分や埃を貫通孔を通じて、落下させることができるため、ペットが載上する床面板状部材を常に衛生的にし、掃除も容易にすることができる。
【００１７】
さらに、上述するごとく、上記貫通孔を形成した床面板状部材に、上記熱伝導部材を敷設した構成を採れば、ペット用ベッドの下部を通気する空気を上記貫通孔を通じて直接、上記熱伝導部材にさらすことができ、ペットの熱を吸熱した状態の上記熱伝導部材が蓄えた熱を下側から放熱することができ、効率的に冷却することができる。
【００１８】
また、上述する離間可能に結合する手段としては、例えば係合部材を用い、該係合部材の係合を解除可能に上記床面板状部材、及び上記柵体とを一体とすること、あるいは、上記柵体と上記床面板状部材とにおける所定部位にピン、あるいはボルト等を挿通して固定する、その他、テープ部材、紐部材、磁石、面ファスナ等の固定手段、嵌着手段等で結合することも含む。
【００１９】
また、上記周部とは、上記床面板状部材に載上したペットに対して、右側、左側、前側、後側（背面側）、上側（平面側）における少なくとも一方の側を示す。すなわち、上記柵体は、ペットに対して少なくとも一方の側に構成する、あるいは、全体に構成してもよい。
【００２０】
さらに、上記柵体は、前記柵体を、前記ペットの背面側に有する背面側柵体と、上記ペットの右側面に有する右面側柵体と、上記ペットの左側面に有する左面側柵体とで形成し、上記柵体を、上記背面側柵体における左右両側に上記左側柵体、及び上記右側柵体をそれぞれ折畳み可能に連設し、上記柵体を、上記右面側柵体と上記左面側柵体とをそれぞれ上記背面側柵体に対向状態に折り畳んだ上記背面側柵体が、敷設状態の前記床面板状部材に載上可能に形成するとともに、該右面側柵体、及び該左面側柵体における、該背面側柵体に対向する側と反対側の面上に上記ペットが載上可能に形成することができる。
【００２１】
このように、前記柵体を上記右面側柵体、左面側柵体、及び背面側柵体で構成すれば、ペット用ベッドの前側が阻害されないため、飼主は、ペットの世話がし易くなるとともに、ペットの様子を伺い易くなる。
【００２２】
また、上記柵体は、上記右面側柵体の一端部を折畳み可能に連設するとともに、上記背面側柵体における左右方向の左側端部に、上記左面側柵体の一端部を折畳み可能に連設して構成することにより、コンパクトに折り畳んで収納することができる。
【００２３】
ここで、折畳み可能に連設するとは、ヒンジ（蝶番）、テープ状の伸縮部材等、折畳みが可能な部材を用いて構成するとよい。
【００２４】
また、上記構成を採るペット用ベッドは、折畳み可能に構成しているため、例えば上記床面板状部材と上記柵部材とを互いに分離し、床面板状部材を地面に敷設して、該床面板状部材単体でペット用ベッドとして使用することもできる。若しくは、上記床面板状部材に折り畳んだ状態の柵体を載上した形態で使用することもできる。
【発明の効果】
【００２５】
この発明によれば、本発明のペット用ベッドは、不使用時において、柵体と床面板状部材とを任意に、結合、あるいは分離することができるため、容易に持ち運びすることができるとともに、コンパクトに収納することができる。
【００２６】
また、上記ペット用ベッドは、折畳み可能に構成しているため、例えば床面板状部材を地面に敷設して、該床面板状部材単体でペット用ベッドとして使用することもできる。若しくは、上記床面板状部材に折り畳んだ状態の柵体を載上した形態で使用することもできる。
【００２７】
さらに、本発明のペット用ベッドは、上述するごとく上記柵体を折り畳んだり、上記床面板状部材と柵体とを結合したり、分離したりすることで、設置スペース等を考慮して使用環境に適した様々な形態で使用することができる。
【００２８】
また、上記ペット用ベッドは、電気、ガス等を使用しなくても、冷却したり、保温したりすることができるため、年間を通じて快適に使用することができる。しかも、その際、電気代なども不要であるとともに、感電、漏電などの心配もなく安全性を確保して使用することができる。
【００２９】
上記ペット用ベッドは、上記床面板状部材に上記貫通孔を形成することで通気性も良好となり、水や埃が床面板状部材上面に残留し難くなり、また、熱伝導部材のみ取り外して洗浄することができるため、衛生的であり、掃除に要する手間を省くことができる。
【発明を実施するための最良の形態】
【００３０】
この発明の一実施形態を、以下図面を用いて説明する。  
図１は、本実施例におけるペット用ベッド１０に、猫のペットＡが載上している様子を示す。このようなペット用ベッド１０は、図２に示すごとく、必要に応じて該ペット用ベッド１０の外形を形成するベッド本体部１１に、後述するアルミプレート１２、及びソファー１３（クッション等柔軟な部材であればよい）を載上させて使用することができる。
【００３１】
ここで、上記ベッド本体部１１は、略全体を木材で構成するとともに、ペットＡが載上する床面板状部材１５と、該床面板状部材１５に載上した上記ペットＡの背面、及び左右両側面を囲繞する柵体１６とで構成する。
【００３２】
上記床面板状部材１５については、図３（ａ）、（ｂ）、（ｃ）に示すごとく、平面視すると略矩形をしたパネル状に形成している。具体的には上記床面板状部材１５は、長手方向の両側にそれぞれ枠材１７、１７を備えている。上記枠材１７、１７間には、開口部１８が形成されるが、該開口部１８には、７本の支持部材１９を横架させることで、上記床面板状部材１５をペットが載上可能な面状に形成している。  
しかも、このとき、上記床面板状部材１５は、所定の等間隔を隔てて互いの該支持部材１９を横架して形成しているため、各支持部材１９の間に、スリット状の空間３７（間隙）が生じた状態に形成している。
【００３３】
さらに、上記床面板状部材１５における、短手方向の一方の端部、すなわちペット用ベッド１０の前端部に相当する部位には、前側鍔部２１を上記枠体１７、及び支持部材１９に対して立設状態に接着剤、あるいはボルト等を用いて、一体に形成している。  
なお、前側鍔部２１は、上述するごとく、ペット用ベッド１０の前端側に取り付けたときに、短手方向の上端側に、該上端側の部位における両隅側を除いた部位を切り欠いた切り欠き部２１ａを形成している。
【００３４】
加えて、上記床面板状部材１５は、上記両枠体１７、１７の外端側に、それぞれ先端が下方に向くように外側に突き出した金属製のフック部材２２（係合部材）を螺設して合計４つ形成している。
【００３５】
一方、上記柵体１６は、図４（ｄ）、（ｅ）、（ｆ）に示すごとく、上記床面板状部材１５に載上したペットＡの背面側に有する背面側柵体２３と、上記ペットＡの右側面に有する右面側柵体２４と、上記ペットＡの左側面に有する左面側柵体２５とから成る。
【００３６】
上記柵体１６は、上記背面側柵体２３における左右方向の右側端部に、上記右面側柵体２４の一端部を、２つのヒンジ１４（蝶番）を介して連設するとともに、上記背面側柵体２３における左右方向の左側端部に、上記左面側柵体２５の一端部を、２つのヒンジ１４を介して連設して構成している。
【００３７】
上記ヒンジ１４を介して連結することにより、柵体１６は、上記右面側柵体２４と上記左面側柵体２５とをそれぞれ所定の角度、回動させれば、上記背面側柵体２３に対して互いに対向するように折り畳むことができる（図４（ｄ）の仮想線参照）。
【００３８】
ここで、上記背面側柵体２３の構成について説明する。上記背面側柵体２３は、折り畳んだ状態の柵体１６が敷設状態の前記床面板状部材１５に載上可能な大きさに形成している。  
すなわち、本実施例においては、上記床面板状部材１５と略同じ大きさに形成している。
【００３９】
さらに、上記背面側柵体２３は、右側枠体２７と左側枠体２６とをそれぞれ両側に有して、中間部が緩やかに上方に突き出した上側枠体２８を上側に有して略コの字形に形成し、該コの字形の開口部を閉口するように奥側から開口端部側へ等間隔に背面梁体２９を４本架設している。  
なお、上記背面側柵体２３における上記上側枠体２８の中間部には、ネームプレート３１を固着している。  
上記ネームプレート３１は、ＡＢＳ樹脂製であり、標章をプリントして形成したり、ペットＡの名前を書き込み可能に形成したりして固着されている。
【００４０】
また、上記左面側柵体２５の構成については、前側枠体３２と、後側枠体３３との上端側を鍔状に外側に突き出した鍔部枠体３４で横架している（図４（ｆ）参照）。さらに、前側枠体３２と、後側枠体３３との間には、４本の梁枠体３５を上記背面側柵体２３における架設した４本の背面梁体２９の高さとそれぞれ同じ高さとなるように架設している。  
ただし、上記右面側柵体２４の構成についても上述した左面側柵体２５の構成と同一に形成している。そして、上記右面側柵体２４、及び上記左面側柵体２５はそれぞれ、上記背面側柵体２３を長手方向に半分に分割した一方の側と略同じ大きさで形成している。  
なお、上記左面側柵体２５、及び上記右面側柵体２４における各前側枠体３２、後側枠体３３、さらに上記背面側柵体２３における右側枠体２７、左側枠体２６には、その下端面にフェルト製の脚パット３６を添着している。
【００４１】
次に、上述した床面板状部材１５と柵体１６との結合方法について説明する。  
まず、飼主は、上記柵体１６を上述した図４のように平面視コの字形の安定した形態となるように、上記右面側柵体２４、及び上記左面側柵体２５を所定角度、回動させて起立させる。
【００４２】
そして、飼主は、図５に示すごとく上記床面板状部材１５のフック部材２２を、上記右面側柵体２４、及び上記左面側柵体２５における、それぞれ上下方向に架設した上記４本の梁体３５のうちの最低部位に有する梁体３５に係合させる。
【００４３】
上述する係合を、ペット用ベッド１０全体で合計、４箇所に係合されば、柵体１６と床面板状部材１５とを強固に結合することができ、上記ベッド本体部１１を構成することができる。
【００４４】
次に、上記ベッド本体部１１に載上する上記アルミプレート１２について説明する。アルミプレート１２は、熱伝導性に優れ、上記床面板状部材１５における横架した上記支持部材１９のうち、中央部に有する５本分の支持部材１９に相当する大きさに形成している。
【００４５】
上記構成を採るアルミプレート１２は、上記床面板状部材１５における横架した上記支持部材１９の中央部に敷設される。  
さらに、ソファー１３をアルミプレート１２に載上すると、上記図１のようにペット用ベッド１０として使用することができる。
【００４６】
ここで、上記構成を採る上述したペット用ベッド１０は、上記背面側、及び上記左右両側において、柵体１６が起立した状態に取り付けており、さらにペット用ベッド１０の前側には、床面板状部材１５における前側鍔部２１を有するため、ペットＡが動いてソファー１３が地面に落下することを防止することができる。  
なお、前側鍔部２１には、切り欠き部２１ａを形成しているため、ペットＡが自ら乗降りする際にも邪魔にならない。
【００４７】
さらに、図６に示すように、ペット用ベッド１０は、ソファー１３に備えた紐部材１３ａを背面側柵体２３の任意の背面梁材２９に締結すれば、上記床面板状部材１５に載置したソファー１３を位置決めすることができるとともに、さらに強固に一体とすることができる。よって、ソファー１３が上記床面板状部材１５の一部分に偏ったり、乱れたりすることをより確実に防止することができる。
【００４８】
このようにペット用ベッド１０は、ソファー１３を常にペットＡが載上し易い状態で維持することができるため、冬であっても、ペットＡを快適な状態に保つことができる。  
なお、このようにベッド本体部１１にソファー１３を載上する場合は、ベッド本体部１１とソファー１３との間にアルミプレート１２を介在させても、あるいはアルミプレート１２を用いずに直接、ベッド本体部１１にソファー１３を載置してもよい。
【００４９】
このように、ペット用ベッド１０は、上述するようにソファー１３を用いることにより、冬の寒い時でもペットＡを暖かい状態とすることができる。特に、湯たんぽやカイロ等をソファー１３とアルミプレート１２間に介在させておけば、上記湯たんぽやカイロ等の熱がアルミプレート１２を介して上記床面板状部材１５全体に熱伝導し、保温効果をさらに高めることができる。
【００５０】
また、上記ソファー１３は、紐部材１３ａの締結を解除してやれば、容易にベッド本体部１１と分離することができる。
【００５１】
さらに、上記構成を採るペット用ベッド１０は、床面板状部材１５を直接、地面に設置させる形態ではなく、下側に空間を備えた形態で形成している。すなわち、夏季等、気温が高い場合であっても、上記熱伝導性が高いアルミプレート１２の下側を空気が通過し、該空気は、床面板状部材１５の上記スリット状の空間３７（図３（ａ）参照）を介して、上記ペットＡの体温から吸熱してアルミプレート１２に蓄えられた熱を効率よく放熱することができる。  
よって、ペットＡの暑さを積極的に和らげて快適な状態に維持することができる。
【００５２】
なお、上記床面板状部材１５は、フック部材２２を上記右面側柵体２４、及び上記左面側柵体２５におけるそれぞれ上下方向に３本有する梁枠体３５のうち、任意の高さの梁枠体３５に係合して、任意の高さに調節することができる。
【００５３】
また、飼主は、ソファー１３、あるいはアルミプレート１２ごと床面板状部材１５から取り外す、若しくはフック部材２２の係合を解除して床面板状部材１５を柵体１６から取り外すことを、容易に行うことができる。
【００５４】
このようにして、ペット用ベッド１０を各構成部材ごとにばらばらにすることにより、持ち運びをすることができるとともに、ペットＡがペット用ベッド１０に水をこぼしたり、ペット用ベッド１０が埃や毛で汚れた場合、拭き掃除等も各構成部材ごとに容易に行うことができる。また、ソファー１３は、洗濯や水で丸洗いすれば、容易に汚れを除去できる。
【００５５】
次に、上記ペット用ベッド１０の他の実施形態について説明を行う。  
ここでは、ペット用ベッド２０を各構成部材がばらばらの状態から他の形態に結合する手順を、図７、図８を用いて説明する。  
飼主はまず、上記床面板状部材１５を地面に載置する。そして、飼主は上記柵体１６を、該柵体１６における上記右面側柵体２４、及び上記左面側柵体２５のそれぞれが上記背面側柵体２３の一方の側面に互いに対向する状態に折り畳む。  
さらに飼主は、該床面板状部材１５の上面に、上述する形態に折り畳んだ状態の上記柵体１６を、背面側柵体２３が右面側柵体２４、及び左面側柵体２５に対して下側に位置するように載置するとともに、上記鍔部枠体３４と上記前側鍔部２１とが短手方向の両側において上方に突き出した形態で載置する。
【００５６】
そして、図８（ｈ）に示すごとく、必要に応じて適宜、ソファー１３を上記柵体１６上に載置すればペット用ベッド２０として使用することができる。  
なお、上記構成を採るペット用ベッド２０においても上記ソファー１３は、該ソファー１３の紐部材１３ａを柵体１６における所定の梁体３５に締結して固定してもよい。
【００５７】
ここで柵体１６に載上した上記ソファー１３の短手方向の両側には、上記鍔部枠体３４と前側鍔部２１とが短手方向の両側において上方に突き出した形態であるため、載置したソファー１３の位置ずれを防止して、ソファー１３を定位置に保持することができる。
【００５８】
なお、本実施形態のペット用ベッド２０においてもアルミプレート１２は、床面板状部材１５と上記柵体１６との間に介在させる、あるいは取り除いて使用してもよい。
【００５９】
上記形態を採るペット用ベッド２０は、例えば、ペット用ベッド２０周囲の見栄えを良好にしたい場合など、起立状態の柵体１６が不要なときに有効である。
【００６０】
また、梁枠体３５、背面梁体３９間には、隙間が存在することより、通気性も確保することができる。
【００６１】
上述の実施形態と、この発明の構成との対応において、この実施形態のスリット状の空間３７は、この発明の貫通孔に対応するも、この発明は、上述の実施形態の構成のみに限定されるものではなく、多くの実施の形態を得ることができる。
【図面の簡単な説明】
【００６２】
【図１】本発明のペット用ベッドの使用状態を表す外観図。
【図２】本発明のペット用ベッドの構成を表す説明図。
【図３】本発明のペット用ベッドの構成部品を各方向から視た説明図。
【図４】本発明のペット用ベッドの他の構成部品を各方向から視た説明図。
【図５】本発明のペット用ベッドの構成部品どうしの結合を断面で表した説明図。
【図６】本発明のペット用ベッドを背面側から視た外観図。
【図７】本発明の他のペット用ベッドの構成方法を表す説明図。
【図８】本発明の他のペット用ベッドを表す外観図。
【符号の説明】
【００６３】
１０、２０…ペット用ベッド
１２…アルミプレート
１５…床面板状部材
１６…柵体
２３…背面側柵体
２４…右面側柵体
２５…左面側柵体
３７…スリット状の空間
ペット…Ａ
【図１】
2005168388.tif 000003
【図２】
2005168388.tif 000004
【図３】
2005168388.tif 000005
【図４】
2005168388.tif 000006
【図５】
2005168388.tif 000007
【図６】
2005168388.tif 000008
【図７】
2005168388.tif 000009
【図８】
2005168388.tif 000010